(57)【要約】【課題】建造物内部では空気の汚れによる入れ換えや、調湿、調温などをするために外部との換気ができる状態において、防塵、日光の当たりすぎ防止、遮熱、防水、夜間の外部への遮光、プライバシーの保護、防風などの機能があり、容易に設置できる板材、または板材を使用した集合体が求められている【解決手段】建造物開口部の枠あるいは戸に用いられる板材に取り付け面が有り、建造物内部に異物が入らなくする遮蔽部を持ち、板材の長手方向の面に所定間隔に複数の取り付け穴または、抜け止め機能の有る孔を持つ板材で有り、上下方向に複数並列させ、取り付け穴または、抜け止め機能の有る孔に止め具の軸を通すことで建造物開口部に取り付けることができる板材、または板材を使用した集合体を提供する。【選択図】    図１２
2005232731.tif 000002
【特許請求の範囲】
【請求項１】
建造物開口部の枠あるいは戸に用いられ、板材の上部と下部に取り付け面が有り、建造物内部に異物が入らなくする遮蔽部を持ち、遮蔽部より下部に通風可能な貫通孔もしくは、空間が有り、かつ板材の長手方向の面に所定間隔に複数の取り付け穴および、抜け止め機能の有る孔を持つルーバー板材。
【請求項２】
建造物開口部の枠あるいは戸に用いられ、板材の上部と下部に取り付け面が有り、建造物内部に異物が入らなくする遮蔽部を持ち、遮蔽部より下部に通風可能な貫通孔もしくは、空間が有り、かつ板材の長手方向の面に所定間隔に複数の取り付け穴または、抜け止め機能の有る孔を持つ板材で有り、その板材を上下方向に複数並列させ、取り付け穴または、抜け止め機能の有る孔に止め具の軸を通すことで建造物開口部に取り付けることができるルーバー板材。
【請求項３】
建造物開口部の枠あるいは戸に用いられ、板材の上部と下部に取り付け面が有り、建造物内部に異物が入らなくする遮蔽部を持ち、遮蔽部より下部に通風可能な貫通孔もしくは、空間が有り、かつ板材の長手方向の面に所定間隔に複数の取り付け穴または、抜け止め機能の有る孔を持ち、さらに、板材の上部と下部に所定の間隔にて目印が設定された板材で有り、その板材を上下方向に複数並列させる際に、上下の板材とそれぞれ適応する目印を合わせることにより、板材を規則正しく整列させ組み合わせて建造物開口部に取り付けることができるルーバー板材。
【請求項４】
建造物開口部の枠あるいは戸に用いられ、板材の上部と下部に取り付け面が有り、建造物内部に異物が入らなくする遮蔽部を持ち、遮蔽部より下部に通風可能な貫通孔もしくは、空間が有り、かつ板材の長手方向の面に所定間隔に複数の取り付け穴または、抜け止め機能の有る孔を持つ板材で有り、その板材を上下方向に複数並列して重ね合わせ、互いに合致する取り付け穴または、抜け止め機能の有る孔に止め具の軸を通すことにより建造物開口部に規則正しく組み合わせて取り付けることができるルーバー板材。
【請求項５】
建造物開口部の枠あるいは戸に用いられ、板材の上部と下部に取り付け面が有り、建造物内部に異物が入らなくする遮蔽部を持ち、遮蔽部より下部に通風可能な貫通孔もしくは、空間が有り、かつ板材の長手方向の面に所定間隔に複数の取り付け穴または、抜け止め機能の有る孔を持つ板材で有り、その板材を上下方向に複数並列して重ね合わせ、互いに合致する取り付け穴または、抜け止め機能の有る孔に止め具を通すことにより建造物開口部に規則正しく組み合わせられる構成であり、枠および戸との間の通気材をはさみ板材の抜け止め機能の有る孔と通気材を貫通する止め具の軸を通すことにより密着固定できるルーバー板材。
【請求項６】
建造物開口部の枠あるいは戸の通気材に用いられ、板材の上部と下部に取り付け面が有り、建造物内部に異物が入らなくする遮蔽部を持ち、遮蔽部より下部に通風可能な貫通孔もしくは、空間が有り、かつ板材の長手方向の面に所定間隔に複数の取り付け穴または、抜け止め機能の有る孔を持つ板材で有り、その板材を上下方向に複数並列して重ね合わせ、互いに合致する取り付け穴または、抜け止め機能の有る孔と通気材を貫通する止め具の軸を通すことにより建造物開口部に規則正しく組み合わせて取り付けることができるルーバー板材。
【請求項７】
建造物開口部の枠あるいは戸の通気材に用いられ、建造物内部に異物が入らなくする遮蔽部を持ち、長手方向の面に所定間隔に複数の取り付け穴または、抜け止め機能の有る孔を持つ板材で有り、その板材を建造物開口部の枠あるいは戸に適応する所定の長さに切断して供給または、板材を巻き込んだリールにてフープ供給できるルーバー板材。
【請求項８】
スリットまたは孔、もしくは目印が設けられた上記請求項１、２、３、４、５、６又は７記載のルーバー板材。
【発明の詳細な説明】
【技術分野】
【０００１】
本発明は、建造物外部との換気ができる状態を保ったうえ、建造物開口部（出入り口、通気口、戸、網戸、窓、ドア、通路の柱間など）から内部に異物が入らなくする遮蔽部を持ち、遮蔽部による防塵、日光の当たりすぎ防止、遮熱、防水、夜間の外部への遮光、プライバシーの保護、防風、などの機能が有る（場合によっては猫などの動物から網などの通風素材を守る場合もある）ルーバー板材、またはルーバー板材を使用した集合体に関するものである。
【背景技術】
【０００２】
建造物外部との換気ができる状態を保ったうえ、建造物内部に異物が入らなくする遮蔽部として、異物が入らない方向に傾斜する斜面部を持つ板材の集合体の実施例が有り、通風もできる通風雨戸や、よろい戸、ルーバー網戸はあったが、建造物開口部の枠あるいは戸の規格違いや、建造物の歪等に起因する様々な大きさの設置場所に簡単に合わせて製作でき、既存の設備にも現場で柔軟に対応できるうえ、さらに、上下に複数並べた場合においても容易に規則正しく整列させることができる有効な実施例は見当たらない。
【０００３】
この改善策として、網戸取り付け用ブラインドとして小さなブラインド主体を複数並べてよろい戸状にする方法が知られている。
【特許文献１】実開昭５９−３５５９４
【発明の開示】
【発明が解決しようとする課題】
【０００４】
解決しようとする問題点は、建造物内部では空気の汚れによる入れ換えや、調湿、調温などをするために外部との換気ができる状態にて、防塵、日光の当たりすぎ防止、遮熱、防水、夜間の外部への遮光、プライバシーの保護、防風、（場合によっては猫などの動物から網などの通風素材を守る場合もある）が求められている。
【０００５】
上記問題点を解決できる対策として通風雨戸や、よろい戸、ルーバー網戸はあるが既存の設備に合わない場合も有り、選定は思った以上に難しいうえ、設備は以外と高価である。
【０００６】
一方、一般的に建造物の窓等には、すでに網戸が取り付けられている場合や、後から取り付けできる様にあらかじめレールなどが付加されているサッシ枠体を使用される場合が有り、その窓等の寸法に縦枠と横枠を合わせ、網戸枠としてホームセンターなどで販売されている。また、網戸の網を交換する材料や道具なども販売されている。
【０００７】
そこで、建造物開口部の枠あるいは戸の規格違いや、建造物の歪等に起因する様々な大きさの異なる設置場所においても簡単に製作でき、既存の設備（網戸等）にも現場で柔軟に対応できる板材を提供する。さらに、上下に複数並べた場合においても容易に規則正しく整列させることができる板材、または板材を使用した集合体を提供することである。
【課題を解決するための手段】
【０００８】
ルーバー板材とは、建造物内部では空気の汚れによる入れ換えや、調湿、調温などをするために外部との換気ができる状態にて、防塵、日光の当たりすぎ防止、遮熱、防水、夜間の外部への遮光、プライバシーの保護、防風、（場合によっては猫などの動物から網などの通風素材を守る場合もある）ができる板材、または板材を使用した集合体とする。
請求項１の場合は、板材の上部と下部に取り付け面が有り、建造物内部に異物が入らなくする遮蔽部を持ち、遮蔽部より下部に通風可能な貫通孔もしくは、空間が有り、かつ板材の長手方向の面に所定間隔に複数の取り付け穴または、抜け止め機能の有る孔を持つ板材、または板材を使用した集合体とし、取り付け面には振動やずれ防止のための柔らかい部材を使用しても良く、開口部が四角刑ばかりでなく円形や異形の場合にも板材の長手を切断し対応できる。
【０００９】
請求項２の場合は、建造物開口部の枠あるいは戸に用いられ、板材の上部と下部に取り付け面が有り、建造物内部に異物が入らなくする遮蔽部を持ち、遮蔽部より下部に通風可能な貫通孔もしくは、空間が有り、かつ板材の長手方向の面に所定間隔に複数の取り付け穴または、抜け止め機能の有る孔を持つ板材で有り、その板材を上下方向に複数並列させ、取り付け穴または、抜け止め機能の有る孔に止め具の軸を通すことで建造物開口部に取り付けることができる板材、または板材を使用した集合体とし、建造物開口部の全てに設置する場合や、庇の有無、プライバシー保護の観点等により必要な部位にのみ設置する場合もある。
【００１０】
請求項３の場合は、建造物開口部の枠あるいは戸に用いられ、板材の上部と下部に取り付け面が有り、建造物内部に異物が入らなくする遮蔽部を持ち、遮蔽部より下部に通風可能な貫通孔もしくは、空間が有り、かつ板材の長手方向の面に所定間隔に複数の取り付け穴または、抜け止め機能の有る孔を持ち、さらに、板材の上部と下部に所定の間隔にて目印が設定された板材で有り、その板材を上下方向に複数並列させる際に、上下の板材とそれぞれ適応する目印を合わせることにより、板材を規則正しく整列させ組み合わせて建造物開口部に取り付けることができる板材、または板材を使用した集合体とし、目印は印刷や、凹凸でつける。また、外形の上下方向に突起と切り欠きなどにより凹凸を設けて勘合させる場合や厚み方向にも凹凸にて勘合させる場合も有り、勘合を圧入とし集合体を安定させる場合もある。また、建造物開口部の全てに設置する場合や、庇の有無や、プライバシー保護の観点等により必要な部位にのみ設置する場合もある。
【００１１】
請求項４の場合は、建造物開口部の枠あるいは戸に用いられ、板材の上部と下部に取り付け面が有り、建造物内部に異物が入らなくする遮蔽部を持ち、遮蔽部より下部に通風可能な貫通孔もしくは、空間が有り、かつ板材の長手方向の面に所定間隔に複数の取り付け穴または、抜け止め機能の有る孔を持つ板材で有り、その板材を上下方向に複数並列して重ね合わせ、互いに合致する取り付け穴または、抜け止め機能の有る孔に止め具の軸を通すことにより建造物開口部に規則正しく組み合わせて取り付けることができる板材、または板材を使用した集合体とし、重ね合わせる際には建造物開口部の全てに設置する場合や、庇の有無や、プライバシー保護の観点等により必要な部位にのみ設置する場合もある。また、取り付け穴または、抜け止め機能の有る孔は、板材の上下のどこでも良いし、重ねる順序も設定により異なる場合も可能である。
【００１２】
請求項５の場合は、建造物開口部の枠あるいは戸に用いられ、板材の上部と下部に取り付け面が有り、建造物内部に異物が入らなくする遮蔽部を持ち、遮蔽部より下部に通風可能な貫通孔もしくは、空間が有り、かつ板材の長手方向の面に所定間隔に複数の取り付け穴または、抜け止め機能の有る孔を持つ板材で有り、その板材を上下方向に複数並列して重ね合わせ、互いに合致する取り付け穴または、抜け止め機能の有る孔に止め具を通すことにより建造物開口部に規則正しく組み合わせられる構成であり、枠および戸との間の通気材をはさみ板材の抜け止め機能の有る孔と通気材を貫通する止め具の軸を通すことにより密着固定して互いに補強することができる板材、または板材を使用した集合体とし、通気素材としては、各種金属、樹脂、多層材などがあり、形態としては網、繊維、織物、多孔シート、多孔板などがある。蒸気を通すが水を通さないなど透過の程度も自由に設定できる。また、好みの色を使用することで内部の色設定をかえられる。
【００１３】
請求項６の場合は、建造物開口部の枠あるいは戸の通気材に用いられ、板材の上部と下部に取り付け面が有り、建造物内部に異物が入らなくする遮蔽部を持ち、遮蔽部より下部に通風可能な貫通孔もしくは、空間が有り、かつ板材の長手方向の面に所定間隔に複数の取り付け穴または、抜け止め機能の有る孔を持つ板材で有り、その板材を上下方向に複数並列して重ね合わせ、互いに合致する取り付け穴または、抜け止め機能の有る孔と通気材を貫通する止め具の軸を通すことにより建造物開口部に規則正しく組み合わせて取り付けることができる板材、または板材を使用した集合体とし、通気素材としては、各種金属、樹脂、多層材などがあり、形態としては網、繊維、織物、多孔シート、多孔板などがある。
【００１４】
請求項７の場合は、建造物開口部の枠あるいは戸の通気材に用いられ、建造物内部に異物が入らなくする遮蔽部を持ち、長手方向の面に所定間隔に複数の取り付け穴または、抜け止め機能の有る孔を持つ板材で有り、その板材を建造物開口部の枠あるいは戸に適応する所定の長さに切断して供給または、板材を巻き込んだリールにてフープ供給できる板材、または板材を使用した集合体とし、板材を所定の長さに切断して供給する場合には、板材の生産時あるいは、設置条件に合う所定の長さに工場などにて前もって切断する。板材を巻き込んだリールにてフープ供給する場合には、既存設備の所定の長さに合わせて現場などで切断する。
【００１５】
請求項８の場合は、スリットまたは孔、もしくは目印が設けられた上記請求項１、２、３、４、５、６又は７記載の板材、または板材を使用した集合体とし、スリットまたは孔は、製法においてはプレスする際に生じる歪を分散させ成形を容易にする効果が有る場合や、光、空気の通る量を設定する場合に有効である。目印（目盛り）が設けられた場合には長手方向に切断する際に補助として使用する。
【００１６】
板材の材質は、木、竹などの天然素材のほか、アルミ合金やステンレス合金等の金属、樹脂、セラミック等（透ける材質の場合も有る）の人工素材が挙げられる。さらに、それらを複合する場合もある。さらに、最突出部にはバリが出ない設定が良い。端部に折り曲げ部あるいは、丸みを設ける場合もある。また、安全のため最突部および、切断面にカバーを設けても良い。
【００１７】
既存の網戸に用いる場合はなるべく軽量になる様に板材を薄く設定し、網戸の負担を軽減することが望まれる。素材は、アルミ合金等の軽合金、ステンレス合金などの金属、および樹脂（補強材を含む場合も有る）など均一で強度の有る素材を使用する場合が考えられる。さらに、風など外部の影響を受けにくい形状が望まれる。特に二階以上の落下の危険がある場所では市販のはずれ防止具や、ボルト等による固定による落下防止策が望まれる。さらに、ボルト等による固定や、鍵をつけるなど網戸を開かない様にすれば猫などの動物から網などの通気材を守ると共に、出入りされることがない。（一般の猫などは戸締りをしないため）
【００１８】
抜け止め機能の有る孔の一例として、板材が弾性部材の場合には板材に止め具と同等か少し小さめの孔を開けその周囲を切り起こし、あるいは曲げおよび、潰しにより止め具に圧接するはめ合いにする。板材が弾性を持たない場合には、別部品としてナット（回り止め機能を設けても良い）もしくは、上記の弾性部材の機能を持つ部材を用いることで、抜け止め機能の有る孔とすることができ、板材と別の部品とは接着、溶着、インサート、圧入などにより一体化すれば作業性を良くでき好ましい。（網などに取り付ける場合は、傷むのを防止するためワッシャなどを用い、タッピングボルトなどを使用しても良い）
【００１９】
止め具として使用する軸は、各種ボルト、フランジつきピン（軸に凹凸等を設けて抜け止め機能を設けても良い）を利用しても良い。ボルトは挿入には単に押し込むだけで済み、はずす場合は緩む方向に回転させれば網目に傷をつけにくくできる。さらにフランジ部構成部材を密着させる（フランジ部が軸を引っ張るスプリング機能を設けても良い）ことが好ましい。
【００２０】
通風材や網に貫通して板材の抜け止め機能の有る孔に固定する場合には通気素材や網目を傷めない大きさでありながら、簡単に貫通できる先端が尖っている軸が望ましい。
また、網の張替えを個人が施工した場合に縦横の網線がうまく垂直、水平にならなくなり歪んだ状態になっても本発明実施の際は、板材によって、歪みを目立たなくできる。
【００２１】
板材の所定の間隔にて取り付け穴を設けた縦部材と板材を上下方向に複数並列して重ね合わせ、互いに合致する取り付け穴または、抜け止め機能の有る孔とを止め具に圧接するはめ合いにすることで強度が十分になる場合には横部材が必要無い場合も有り、前もってその状態にすることで取り付けを簡単にできる。また、縦方向に幅広の板材を使って板材を複数の段を並べた様に見える状態に一体化することで板材の取り付け回数を少なくする設定にすることもできる。
【００２２】
上記の板材または板材を使用した集合体を設置した際に美観、安全性を高めるなどのために枠の上および板材の端部に、押さえ板（カバー）を設ける場合も有る。
【００２３】
各部材は、防錆、防腐、抗菌作用の有る材料が好ましい。
【発明の効果】
【００２４】
建造物開口部の枠あるいは戸に取り付ける際に板材の上部と下部に取り付け面が有り上下共に設けられた複数の取り付け穴または、抜け止め機能の有る孔を持にて固定できるため、姿勢を保持しやすく安定する。
【００２５】
板材を上下方向に複数並列させる場合は、板材の上部と下部に取り付け面が有るため板材の間をあける場合に板材の間隔の計測が楽になり、整然と設置しやすくなる。
【００２６】
板材の上部と下部に所定の間隔にて目印が設定された板材を上下方向に複数並列させる際に、上下の板材とそれぞれ適応する目印を合わせることにより、板材を規則正しく整列させ組み合わせて建造物開口部に取り付ける場合には、取り付けに高度な技能がいらないため容易に設置できる。
【００２７】
板材を上下方向に複数並列して重ね合わせ、互いに合致する取り付け穴または、抜け止め機能の有る孔に止め具の軸を通すことのみで取り付けることができる。取り付けに高度な技能がいらないため建造物開口部に規則正しく組み合わせて容易に設置できる。板材の抜け止め機能の有る孔と貫通する止め具の軸を通すことにより板材どうしが密着固定して互いに補強することができる。さらにその場合は板を薄くすることもでき、軽量になるため運搬や設置を楽にできる。
【００２８】
枠および戸との間の通気材をはさみ、板材の抜け止め機能の有る孔と通気材を貫通する止め具の軸を通すことにより密着固定して互いに補強することで、容易にルーバー付きの防虫、目隠し枠、および戸に改装できる。なお、通気素材の色や透過の程度も自由に設定でき、場合によっては網を張る、光のみ透過するフイルムを張り断熱性を高めるなどの場合もあり冷暖房費を抑えられる。また、板材により猫などの動物、紫外線劣化、風化などから通気材を守ることができる。
【００２９】
スリットまたは孔は、プレス生産時の絞り、または曲げ工程の際に生じる歪を分散させ、板材を割れにくくでき、成形を容易にする効果が有る。また、光および空気の通る量を設定する場合に有効であり、外部よりの日光の入る量を多くしても、夜間などに外部から内部が見える（プライバシーの保護）程度を少なくできる。さらに、スリットにて切断する際は切断量が少なくできるため軽い力にて切断でき、同じ長さにしたい場合には、容易にそろえることができる。
【００３０】
板材を所定の長さに切断して供給する場合には、板材の生産時あるいは設置条件に合う所定の長さに工場などにて前もって切断することができ、生産性を高めることができる。板材を巻き込んだリールにてフープ供給する場合には、既存設備の所定の長さに合わせて現場などで切断することで事前に開口部のサイズを測らなくても良いうえ、板材の無駄を無くして必要な分だけを使用できるうえ、材料の運搬も楽にできる。
【実施例１】
【００３１】
図１は、本発明実施時の、一例として板材の形態概要図である。
（ａ）は、板材１の正面図である。
板材１の上部に上部取り付け面２が有り、下部に下部取り付け面３が有り、建造物内部に異物が入らない方向に傾斜する斜面部４を持ち、斜面部4により下部に通風可能な貫通孔５もしくは、空間が有り、かつ板材１の長手方向の面に所定間隔に複数の取り付け穴７または、抜け止め機能の有る孔６を持つ板材である。
（ｂ）は、板材１の側面図である。
建造物内部に異物が入らない方向に傾斜する斜面部４は、板材１より、さん８を残し切り起こした形状である。
【実施例２】
【００３２】
図２は、本発明実施時の、一例として複数の板材を枠材１２に取り付け並べた形態概要図である。
（ａ）は、上記の実施例１の板材１を上下方向に複数並列させた正面図である。
複数の板材には取り付け間隔９を設けてある。
（ｂ）は、（ａ）の側面図である。
枠材１２に設けた貫通孔１３に板材１を当て、貫通孔１３および抜け止め機能の有る孔６が互いに合致する状態に位置を合わせ、フランジ付き止め具１０の軸１１を挿入して取り付けする。
【実施例３】
【００３３】
図３は、本発明実施時の、一例として複数の板材を並べる概要図である。
（ａ）は、上記の実施例１の板材１の上部と下部に取り付け面に凹凸の目印を設けて有り上下方向に複数並列させる正面図である。
各板材の凹点１４と凸点１５および、凸点１６と凹点１７を矢印の方向に合わせることで板材の横方向の位置が合わせられ、この作業を繰り返しても取り付けずれを防止でき整然と整列できる。
（ｂ）は、（ａ）の側面図である。矢印の方向に合わせ当接させる。
【実施例４】
【００３４】
図４は、本発明実施時の、一例として板材の厚み方向に凹凸を形成した概要図である。
（ａ）は、上記の実施例１の板材１の上部に凸部１８と下部の取り付け面に孔１９の目印を設けた正面図である。
（ｂ）は、側面図である。
（ｃ）は、孔１９の周辺拡大図である。
（ｄ）は、凸部１８の周辺拡大図である。
（ｅ）は、（ｄ）の側面図である。
（ｆ）は、凸部１８の周辺拡大図である。
（ｇ）は、（ｆ）の側面図である。
目印はとして厚み方向にも、凹凸を持たせて勘合させた例である。この例の場合はプレス生産に適した形状だが、樹脂成形生産にも対応できる。なお、目印の形状は丸、多角形、異形など色々な場合が有り、勘合部のはめ合いも生産に適した形状にできる。
また、板材１にはスリット２０が設けられており、この部分で切断すれば切断量が少なくできるため軽い力にて切断でき、同じ長さにしたい場合には容易にそろえることができる。
【実施例５】
【００３５】
図５は、本発明実施時の、一例として複数の板材を並べ重ね合わせる断面概要図である。
（ａ）は、本発明実施時の、一例として複数の板材を重ね合わせる断面概要図である。
上記の実施例１の板材１を上から下に３枚並べてあり、枠材１２の貫通穴１３と関連がわかる配置となっている。
（ｂ）は、組み合わせ断面概要図である。
それぞれ順番に枠材１２の貫通穴１３と板材の取り付け穴７または、抜け止め機能の有る孔６を持つ板材と合致する様にフランジ付き止め具１０の軸１１を挿入して取り付けする。
また、この図の様に貫通穴１３にヌスミの面取りをし、フランジ付き止め具１０の角度を関連付けすることで内側にガラス窓が有る場合に接触することを防げる。
【実施例６】
【００３６】
図６は、本発明実施時の、一例として複数の板材を重ね合わせる断面概要図である。
さらフランジ付きボルト止め具１０に合うタップを、枠材１２に設けてあり互いに固定してある。そのボルト軸１１を２枚の板材１の取り付け穴７および、抜け止め機能の有る孔６に挿入して取り付けする。
また、この場合挿入時には、押し込みするのみで取り付け可能だが、はずす場合には無理抜きしなくても、フランジ付きボルト止め具１０を緩む方向に回転させることでできるため取り付け直しも容易である。
【実施例７】
【００３７】
図７は、本発明実施時の、一例として複数の板材を並べ重ね合わせる断面概要図である。
（ａ）は、本発明実施時の、一例として複数の板材を重ね合わせる断面概要図である。
上記の実施例１の板材１を下から上に３枚並べてあり、通気材２１をはさむ様に枠材１２の貫通穴１３との関連がわかる配置としている。
（ｂ）は、組み合わせ断面概要図である。
それぞれ順番に通気材２１をはさんで、枠材１２の貫通穴１３と板材の取り付け穴７または、抜け止め機能の有る孔６を持つ板材と合致する様にフランジ付き止め具１０の軸１１を挿入して取り付けする。
また、この図の様に軸１１の先端を尖らせると挿入が容易になり、軸に凹凸をつけると抜け止め性が高くなる。
【実施例８】
【００３８】
図８は、本発明実施時の、一例として一般的に普及している網戸の網に複数の板材を並べ重ね合わせた概要図である。
（ａ）は、網戸の網に複数の板材を並べ重ね合わせた正面図である。
上記の実施例１の板材１を上から下に３枚並べてあり、枠材１２に網材押さえ樹脂２２により張られた網材２３に抜け止め機能の有る孔６の要所に貫通するフランジ付き止め具１０の軸１１を挿入してはさみ取り付けられている。
（ｂ）は、（ａ）の組み合わせ断面概要図である。
枠材１２に溝用網材押さえ樹脂２２により張られた網材２３をはさんで、網目と板材の取り付け穴または、抜け止め機能の有る孔６を持つ板材と合致する様にフランジ付き止め具１０の軸１１を挿入して取り付けする。
また、この図の様に軸１１の先端を尖らせると挿入が容易になる。
【実施例９】
【００３９】
図９は、本発明実施時の、一例として複数の板材を並べた概要図である。
（ａ）は、複数の板材を並べた正面図である。
板材１の上部に上部取り付け面２が有り、下部に下部取り付け面３が有り、建造物内部に異物が入らない方向に傾斜する斜面部４を持ち、斜面部4により下部に通風可能な貫通孔５もしくは、空間が有り、かつ板材１の長手方向の面に所定間隔に複数の取り付け穴または、抜け止め機能の有る孔６を持つ板材であり、複数のスリット２４を設けてある。
（ｂ）は、（ａ）の側面図である。
建造物内部に異物が入らない方向に傾斜する斜面部４は、板材１より打ち出した形状である。スリットは、プレス生産の際の予備抜きにすることで絞りが楽にできる。
スリット幅が広くなりすぎないように打ち出し高さと位置および、数量等にて設定のバランスをとれば良い。
【実施例１０】
【００４０】
図１０は、本発明実施時の、一例として複数の板材を並べ重ね合わせた概要図である。
（ａ）は、複数の板材を並べた正面図である。
板材１の上部に上部取り付け面２が有り、下部に下部取り付け面３が有り、建造物内部に異物が入らない方向に傾斜する斜面部４を持ち、斜面部4により下部に通風可能な貫通孔５もしくは、空間が有り、かつ板材１の長手方向の面に所定間隔に複数の取り付け穴７または、抜け止め機能の有る孔６を持つ板材であり、複数のスリット２４を設けてある。
（ｂ）は、（ａ）の断面概要図である。
建造物内部に異物が入らない方向に傾斜する斜面部４は、板材１より打ち出した形状である。スリットは、プレス生産、樹脂成形においても、軽量化に貢献し、材料の無駄も減らせる。予備抜きにすることで絞りが楽にできる。また、スリットにて切断すれば切断量が少なくできるため軽い力にて切断でき、同じ長さにしたい場合には容易にそろえることができる。
【実施例１１】
【００４１】
図１１は、本発明実施時の、一例として板材を固定する参考図である。
（ａ）は、板材の組み合わせ時の断面概要図である。
板材１の上部に、建造物内部に異物が入らない方向に傾斜する斜面部４を持ち、斜面部4により下部に抜け止め機能の有る孔６を持つ板材と網材２３をはさんで、網目と板材の抜け止め機能の有る孔６と合致する様にフランジ付き止め具１０の軸１１を挿入して取り付けする。また、この図の様に軸１１の先端を尖らせると挿入が容易になり、フランジ部にもバネ性を持たせるとぐらつきにくくなる。
（ｂ）は、板材の組み合わせ時の断面概要図である。
板材１の上部に、建造物内部に異物が入らない方向に傾斜する斜面部４を持ち、斜面部4により下部に取り付け穴７を持つ板材と網材２３をはさんで、網目と板材の抜け止め機能の有る孔部材２５と合致する様にフランジ付き止め具１０の軸１１を挿入して取り付けする。また、この図の様に軸１１の先端を尖らせると挿入が容易になり、フランジ部にもバネ性を持たせるとぐらつきにくくなる。また板材の抜け止め機能の有る孔部材としてゆるみ止めナットを使用しても良い。
この例のように、建造物内部に異物が入らない方向に傾斜する斜面部を内側に設けると外部の方に張り出しが少なくできるので、通路などで使用する場合に斜面部と接触する危険を減らせる。
【実施例１２】
【００４２】
図１２は、本発明実施時の、一例として板材を網戸に固定する参考図である。
（ａ）は、板材の組み合わせ時の斜視概要図である。
網戸の枠材１２に対応する長さに板材１を切断し、網材２３を接した状態にて裏よりフランジ付き止め具の軸１１を挿入して取り付けする。
なお、板材を所定の長さに切断して供給する場合には、板材の生産時あるいは、設置条件に合う所定の長さ２８にて工場などにて前もって切断しておく。板材を巻き込んだリール２７にてフープ供給する場合には、既存設備の所定の長さに合わせて現場などで切断する。
（ｂ）は、（ａ）の部分拡大概要図である。
板材１の上部に、抜け止め機能の有る孔６を持つ板材と網材２３をはさんで、網目と板材の抜け止め機能の有る孔６と合致する様にフランジ付き止め具１０の軸１１を挿入して取り付けする。また、この図の様に目印２６を設けて、斜面部４の切断する際の補助とする場合もある。できれば長手方向の両端は切断しやすい位置が望ましく、数種類の取り付け間隔の違う板材の中から選択した方が良い場合がある。
【産業上の利用可能性】
【００４３】
板材に撥水処理または光触媒処理を施した上記請求項１、２、３、４、５、６、又は７記載の板材、または板材を使用した集合体。
【図面の簡単な説明】
【００４４】
【図１】板材の実施方法を示した説明図である。（実施例１）
【図２】板材の実施方法を示した説明図である。（実施例２）
【図３】板材の実施方法を示した説明図である。（実施例３）
【図４】板材の実施方法を示した説明図である。（実施例４）
【図５】板材の実施方法を示した説明図である。（実施例５）
【図６】板材の実施方法を示した説明図である。（実施例６）
【図７】板材の実施方法を示した説明図である。（実施例７）
【図８】板材の実施方法を示した説明図である。（実施例８）
【図９】板材の実施方法を示した説明図である。（実施例９）
【図１０】板材の実施方法を示した説明図である。（実施例１０）
【図１１】板材の実施方法を示した説明図である。（実施例１１）
【図１２】板材の実施方法を示した説明図である。（実施例１２）
【符号の説明】
【００４５】
１  板材
２  上部取り付け面
３  下部取り付け面
４  斜面部
５  通風可能な貫通孔
６  抜け止め機能の有る孔
７  取り付け穴
８  さん
９  取り付け間隔
１０  フランジ付き止め具
１１  軸
１２  枠材
１３  貫通孔
１４  凹点
１５  凸点
１６  凸点
１７  凹点
１８  凸部
１９  孔
２０  スリット
２１  通気材
２２  網材押さえ樹脂
２３  網材
２４  スリット
２５  抜け止め機能の有る孔部材
２６  目印
２７  リール
２８  設置条件に合う所定の長さ
【図１】
2005232731.tif 000003
【図２】
2005232731.tif 000004
【図３】
2005232731.tif 000005
【図４】
2005232731.tif 000006
【図５】
2005232731.tif 000007
【図６】
2005232731.tif 000008
【図７】
2005232731.tif 000009
【図８】
2005232731.tif 000010
【図９】
2005232731.tif 000011
【図１０】
2005232731.tif 000012
【図１１】
2005232731.tif 000013
【図１２】
2005232731.tif 000014
【手続補正書】
【提出日】平成16年7月5日(2004.7.5)
【手続補正１】
【補正対象書類名】特許請求の範囲
【補正対象項目名】全文
【補正方法】変更
【補正の内容】
【特許請求の範囲】
【請求項１】
建造物開口部の枠あるいは戸に用いられる板材であり、建造物内部に異物が入らなくする長手方向に連続した遮蔽部を持ち、遮蔽部より下部に通風可能な貫通孔もしくは、空間が設けられ、板材の上部と下部に取り付け面および取り付け穴が有り、板材の長手方向の面に所定間隔に複数の取り付け穴または、抜け止め機能の有る孔を持つ板材において、
上記板材の上部と下部の取り付け面に、上記板材をはさみ押さえすることができるフランジ付き止め具を貫通させることで建造物開口部の枠あるいは戸に密着固定できる孔を持つ構成であり、孔は軸を挿入する面側の方向より鈍角に孔周囲をそらせ、挿入する際には少ない力で済み、逆に軸を抜く際には軸を孔周囲のそらせた部分が食いつく事により外れにくくできる抜け止め機能の有る孔を持つルーバー板材。
【請求項２】
建造物開口部の枠あるいは戸に用いられる略水平に設置する板材であり、建造物内部に異物が入らなくする長手方向に連続した遮蔽部を持ち、遮蔽部より下部に通風可能な貫通孔もしくは、空間が設けられ、板材の上部と下部に取り付け面および取り付け穴が有り、板材の長手方向の面に所定間隔に複数の取り付け穴または、抜け止め機能の有る孔を持つ板材において、
上記板材の上部と下部の取り付け面に、上記板材をはさみ押さえすることができるフランジ付き止め具を貫通させることで密着固定できる孔を持つ構成であり、孔は軸を挿入する面側の方向より鈍角に孔周囲をそらせ、挿入する際には少ない力で済み、逆に軸を抜く際には軸を孔周囲のそらせた部分が食いつく事により外れにくくできる抜け止め機能の有る孔を持つ板材において、その板材を上下方向に複数並列させた場合に上下の板材とそれぞれ適応する目印を合わせることにより板材を規則正しく整列させて建造物開口部に取り付けることができるルーバー板材。
【請求項３】
建造物開口部の枠あるいは戸に用いられる略水平に設置する板材であり、建造物内部に異物が入らなくする長手方向に連続した遮蔽部を持ち、遮蔽部より下部に通風可能な貫通孔もしくは、空間が設けられ、板材の上部と下部に取り付け面および取り付け穴が有り、板材の長手方向の面に所定間隔に複数の取り付け穴または、抜け止め機能の有る孔を持つ板材であり、且つ板材の上部と下部の取り付け面に、軸を挿入する面側の方向より鈍角に孔周囲をそらせる形状によって挿入する際には少ない力で済み、逆に軸を抜く際には軸を孔周囲のそらせた部分が食いつく事により外れにくくできる抜け止め機能の有る孔と、軸の太さ以上の抜け止め機能の無い通し穴を持つ構成であり、前記板材を所定の長さに切断して、複数並列させ建造物開口部の枠あるいは戸のサイズ、もしくは所望するサイズに応じた大きさに設定し重ね合わせ押さえフランジ付き止め具を互いに合致する抜け止め機能の有る孔と、軸の太さ以上の抜け止め機能の無い通し穴貫通させ固定する組み合わせによって、板材どうしが密着固定して互いに補強することができる遮蔽部集合体にできるルーバー板材。
【請求項４】
建造物開口部の枠あるいは戸に用いられる板材であり、建造物内部に異物が入らなくする長手方向に連続した遮蔽部を持ち、遮蔽部より下部に通風可能な貫通孔もしくは、空間が設けられ、板材の上部と下部に取り付け面および取り付け穴が有り、板材の長手方向の面に所定間隔に複数の取り付け穴または、抜け止め機能の有る孔を持つ板材であり、且つ板材の上部と下部の取り付け面に、軸を挿入する面側の方向より鈍角に孔周囲をそらせる形状によって挿入する際には少ない力で済み、逆に軸を抜く際には軸を孔周囲のそらせた部分が食いつく事により外れにくくできる抜け止め機能の有る孔と、軸の太さ以上の抜け止め機能の無い通し穴を持つ構成であり、上記板材を所定の長さに切断して、複数並列させ建造物開口部の枠あるいは戸のサイズ、もしくは所望するサイズに応じた大きさに設定し重ね合わせ、押さえ面付き軸を互いに合致する抜け止め機能の有る孔と、軸の太さ以上の抜け止め機能の無い通し穴貫通させ固定する組み合わせによって、板材どうしが密着固定して互いに補強することができる遮蔽部集合体にできる構成であり、上記板材の枠あるいは戸に接する部位に固定に使用する専用フランジ付き止め具の軸とそれに対応する抜け止め機能の有る孔を持つルーバー板材。
【請求項５】
建造物開口部の枠あるいは戸に用いられる略水平に設置する板材であり、建造物内部に異物が入らなくする長手方向に連続した遮蔽部を持ち、遮蔽部より下部に通風可能な貫通孔もしくは、空間が設けられ、板材の上部と下部に取り付け面および取り付け穴が有り、板材の長手方向の面に所定間隔に複数の取り付け穴または、抜け止め機能の有る孔を持つ板材であり、且つ板材の上部と下部の取り付け面には、軸を挿入する面側の方向より鈍角に孔周囲をそらせ、挿入する際には少ない力で済み、逆に軸を抜く際には軸に孔周囲をそらせた部分が食いつくことにより外れにくくできる抜け止め機能の有る孔を持ち、さらに、抜け止め機能の無い通し穴と、それに対応する板材から遮蔽部の方向に突出する突部を持つ板材であり、上記凸部を抜け止め機能の無い通し穴に圧接した状態に貫通嵌合させ重ね合わせる組み合わせによって、板材どうしが圧接固定して互いに補強しあう遮蔽部集合体として板材を上下方向に複数並列させて建造物開口部に規則正しく組み合わせて取り付けることができるルーバー板材。
【請求項６】
建造物開口部の枠あるいは戸に用いられ、枠および戸との間に通気材をはさみ板材の抜け止め機能の有る孔と通気材を貫通する止め具の軸を通すことにより互いに密着固定できる前記請求項１、２、３、４、又は５記載のルーバー板材。
【請求項７】
建造物開口部の網戸の網面に用いられ、網材をはさみ板材の抜け止め機能の有る孔と網材を貫通する止め具の軸を通すことにより互いに密着固定できる前記請求項１、２、３、４、又は５記載のルーバー板材。
【請求項８】
建造物開口部の枠あるいは戸に用いられ、遮蔽部となる斜面部を室内側に設けた上記請求項１、２、３、４、５、６、又は７記載のルーバー板材。
【手続補正２】
【補正対象書類名】明細書
【補正対象項目名】０００８
【補正方法】変更
【補正の内容】
【０００８】
ルーバー板材とは、建造物内部では空気の汚れによる入れ換えや、調湿、調温などをするために外部との換気ができる状態にて、防塵、日光の当たりすぎ防止、遮熱、防水、夜間の外部への遮光、プライバシーの保護、防風、（場合によっては猫などの動物から網などの通風素材を守る場合もある）ができる板材、または板材を使用した集合体とする。
請求項１の場合は、
建造物開口部の枠あるいは戸に用いられる板材であり、建造物内部に異物が入らなくする長手方向に連続した遮蔽部を持ち、遮蔽部より下部に通風可能な貫通孔もしくは、空間が設けられ、板材の上部と下部に取り付け面および取り付け穴が有り、板材の長手方向の面に所定間隔に複数の取り付け穴または、抜け止め機能の有る孔を持つ板材において、
上記板材の上部と下部の取り付け面に、上記板材をはさみ押さえすることができるフランジ付き止め具を貫通させることで建造物開口部の枠あるいは戸に密着固定できる孔を持つ構成であり、孔は軸を挿入する面側の方向より鈍角に孔周囲をそらせ、挿入する際には少ない力で済み、逆に軸を抜く際には軸を孔周囲のそらせた部分が食いつく事により外れにくくできる抜け止め機能の有る孔を持つルーバー板材または板材を使用した集合体とし、取り付け面には振動やずれ防止のための柔らかい部材を使用しても良く、開口部が四角形ばかりでなく円形や異形の場合にも板材の長手を切断し対応できる。
【手続補正３】
【補正対象書類名】明細書
【補正対象項目名】０００９
【補正方法】変更
【補正の内容】
【０００９】
請求項２の場合は、
建造物開口部の枠あるいは戸に用いられる略水平に設置する板材であり、建造物内部に異物が入らなくする長手方向に連続した遮蔽部を持ち、遮蔽部より下部に通風可能な貫通孔もしくは、空間が設けられ、板材の上部と下部に取り付け面および取り付け穴が有り、板材の長手方向の面に所定間隔に複数の取り付け穴または、抜け止め機能の有る孔を持つ板材において、
上記板材の上部と下部の取り付け面に、上記板材をはさみ押さえすることができるフランジ付き止め具を貫通させることで密着固定できる孔を持つ構成であり、孔は軸を挿入する面側の方向より鈍角に孔周囲をそらせ、挿入する際には少ない力で済み、逆に軸を抜く際には軸を孔周囲のそらせた部分が食いつく事により外れにくくできる抜け止め機能の有る孔を持つ板材において、その板材を上下方向に複数並列させた場合に上下の板材とそれぞれ適応する目印を合わせることにより板材を規則正しく整列させて建造物開口部に取り付けることができるルーバー板材または板材を使用した集合体とし目印は印刷や、凹凸でつける。また、外形の上下方向に突起と切り欠きなどにより凹凸を設けて勘合させる場合や厚み方向にも凹凸にて勘合させる場合も有り、勘合を圧入とし集合体を安定させる場合もある。目印（目盛り）にスリットまたは孔を設定した場合の、製法においてはプレスする際に生じる歪を分散させ成形を容易にする効果が有る場合や、光、空気の通る量を設定する場合に有効である。さらに目印にスリットまたは孔が設けられた場合には長手方向に切断する際に補助として使用できる。また、建造物開口部の全てに設置する場合や、庇の有無、プライバシー保護の観点等により必要な部位にのみ設置する場合もある。
【手続補正４】
【補正対象書類名】明細書
【補正対象項目名】００１０
【補正方法】変更
【補正の内容】
【００１０】
請求項３の場合は、
建造物開口部の枠あるいは戸に用いられる略水平に設置する板材であり、建造物内部に異物が入らなくする長手方向に連続した遮蔽部を持ち、遮蔽部より下部に通風可能な貫通孔もしくは、空間が設けられ、板材の上部と下部に取り付け面および取り付け穴が有り、板材の長手方向の面に所定間隔に複数の取り付け穴または、抜け止め機能の有る孔を持つ板材であり、且つ板材の上部と下部の取り付け面に、軸を挿入する面側の方向より鈍角に孔周囲をそらせる形状によって挿入する際には少ない力で済み、逆に軸を抜く際には軸を孔周囲のそらせた部分が食いつく事により外れにくくできる抜け止め機能の有る孔と、軸の太さ以上の抜け止め機能の無い通し穴を持つ構成であり、前記板材を所定の長さに切断して、複数並列させ建造物開口部の枠あるいは戸のサイズ、もしくは所望するサイズに応じた大きさに設定し重ね合わせ押さえフランジ付き止め具を互いに合致する抜け止め機能の有る孔と、軸の太さ以上の抜け止め機能の無い通し穴貫通させ固定する組み合わせによって、板材どうしが密着固定して互いに補強することができる遮蔽部集合体にできるルーバー板とし建造物開口部の全てに設置する場合や、庇の有無や、プライバシー保護の観点等により必要な部位にのみ設置する場合もある。
【手続補正５】
【補正対象書類名】明細書
【補正対象項目名】００１１
【補正方法】変更
【補正の内容】
【００１１】
請求項４の場合は、
建造物開口部の枠あるいは戸に用いられる板材であり、建造物内部に異物が入らなくする長手方向に連続した遮蔽部を持ち、遮蔽部より下部に通風可能な貫通孔もしくは、空間が設けられ、板材の上部と下部に取り付け面および取り付け穴が有り、板材の長手方向の面に所定間隔に複数の取り付け穴または、抜け止め機能の有る孔を持つ板材であり、且つ板材の上部と下部の取り付け面に、軸を挿入する面側の方向より鈍角に孔周囲をそらせる形状によって挿入する際には少ない力で済み、逆に軸を抜く際には軸を孔周囲のそらせた部分が食いつく事により外れにくくできる抜け止め機能の有る孔と、軸の太さ以上の抜け止め機能の無い通し穴を持つ構成であり、上記板材を所定の長さに切断して、複数並列させ建造物開口部の枠あるいは戸のサイズ、もしくは所望するサイズに応じた大きさに設定し重ね合わせ、押さえ面付き軸を互いに合致する抜け止め機能の有る孔と、軸の太さ以上の抜け止め機能の無い通し穴貫通させ固定する組み合わせによって、板材どうしが密着固定して互いに補強することができる遮蔽部集合体にできる構成であり、上記板材の枠あるいは戸に接する部位に固定に使用する専用フランジ付き止め具の軸とそれに対応する抜け止め機能の有る孔を持つルーバー板材とし、一例として板材と板材との取り付けは細い軸を対応させ、板材の枠あるいは戸に接する部位には太い軸により強固の固定させても良い。また、重ね合わせる際には建造物開口部の全てに設置する場合や、庇の有無や、プライバシー保護の観点等により必要な部位にのみ設置する場合もある。また、取り付け穴または、抜け止め機能の有る孔は、板材の上下のどこでも良いし、重ねる順序も設定により異なる場合も可能である。
【手続補正６】
【補正対象書類名】明細書
【補正対象項目名】００１２
【補正方法】変更
【補正の内容】
【００１２】
請求項５の場合は、
建造物開口部の枠あるいは戸に用いられる略水平に設置する板材であり、建造物内部に異物が入らなくする長手方向に連続した遮蔽部を持ち、遮蔽部より下部に通風可能な貫通孔もしくは、空間が設けられ、板材の上部と下部に取り付け面および取り付け穴が有り、板材の長手方向の面に所定間隔に複数の取り付け穴または、抜け止め機能の有る孔を持つ板材であり、且つ板材の上部と下部の取り付け面には、軸を挿入する面側の方向より鈍角に孔周囲をそらせ、挿入する際には少ない力で済み、逆に軸を抜く際には軸に孔周囲をそらせた部分が食いつくことにより外れにくくできる抜け止め機能の有る孔を持ち、さらに、抜け止め機能の無い通し穴と、それに対応する板材から遮蔽部の方向に突出する突部を持つ板材であり、上記凸部を抜け止め機能の無い通し穴に圧接した状態に貫通嵌合させ重ね合わせる組み合わせによって、板材どうしが圧接固定して互いに補強しあう遮蔽部集合体として板材を上下方向に複数並列させて建造物開口部に規則正しく組み合わせて取り付けることができるルーバー板材とし、また、重ね合わせる際には建造物開口部の全てに設置する場合や、庇の有無や、プライバシー保護の観点等により必要な部位にのみ設置する場合もある。また、取り付け穴または、抜け止め機能の有る孔は、板材の上下のどこでも良いし、重ねる順序も設定により異なる場合も可能である。
【手続補正７】
【補正対象書類名】明細書
【補正対象項目名】００１３
【補正方法】変更
【補正の内容】
【００１３】
請求項６の場合は、
建造物開口部の枠あるいは戸に用いられ、枠および戸との間に通気材をはさみ板材の抜け止め機能の有る孔と通気材を貫通する止め具の軸を通すことにより互いに密着固定できる前記請求項１、２、３、４、又は５記載のルーバー板材、または板材を使用した集合体とし、通気素材としては、各種金属、樹脂、多層材などがあり、形態としては網、繊維、織物、多孔シート、多孔板などがある。蒸気を通すが水を通さないなど透過の程度も自由に設定できる。また、好みの色を使用することで内部の色設定をかえられる。
【手続補正８】
【補正対象書類名】明細書
【補正対象項目名】００１４
【補正方法】変更
【補正の内容】
【００１４】
請求項７の場合は、
建造物開口部の網戸の網面に用いられ、網材をはさみ板材の抜け止め機能の有る孔と網材を貫通する止め具の軸を通すことにより互いに密着固定できる前記請求項１、２、３、４、又は５記載のルーバー板材とし、施工例として適応する網面の最大長さ以下の所定長さに切断して供給または、板材を巻き込んだリールにてフープ供給しても良い。また、板材を所定の長さに切断して供給する場合には、板材の生産時あるいは、設置条件に合う所定の長さに工場などにて前もって切断しても良い。
板材を巻き込んだリールにてフープ供給する場合には、既存設備の所定の長さに合わせて現場などで切断しても良い。
【手続補正９】
【補正対象書類名】明細書
【補正対象項目名】００１５
【補正方法】変更
【補正の内容】
【００１５】
請求項８の場合は、
建造物開口部の枠あるいは戸に用いられ、遮蔽部となる斜面部を室内側に設けた上記請求項１、２、３、４、５、６、又は７記載のルーバー板材とし、一例として建造物内部に異物が入らない方向に傾斜する斜面部を内側に設けると外部の方に張り出しが少なくできるので、通路などで使用する場合に斜面部と接触する危険を減らせる。
【手続補正１０】
【補正対象書類名】明細書
【補正対象項目名】００２４
【補正方法】変更
【補正の内容】
【００２４】
建造物開口部の枠あるいは戸に取り付ける際に板材の上部と下部に取り付け面が有り上下共に設けられた複数の取り付け穴または、抜け止め機能の有る孔を挿入する際には少ない力で済み、逆に軸を抜く際には軸を孔周囲のそらせた部分が食いつく事により外れにくく固定できるため、設置が容易であり姿勢を保持しやすく安定する。
【手続補正書】
【提出日】平成17年4月25日(2005.4.25)
【手続補正１】
【補正対象書類名】特許請求の範囲
【補正対象項目名】全文
【補正方法】変更
【補正の内容】
【特許請求の範囲】
【請求項１】
建造物開口部の枠あるいは戸に用いられる板材であり、その板材に、さんを残し切り起こした形状の建造物内部に異物が入らない方向に傾斜する斜面部をさんと交互に設けて有り、前記斜面部より下部に通風可能な貫通孔もしくは、空間が有り、
さらに横長となる板材の上部と下部に取り付け面が有り、その取り付け面に所定間隔に複数の取り付け穴または、抜け止め機能の有る孔が有り、
前記抜け止め機能の有る孔として板材に止め具と同等か少し小さめの孔を開け、その周囲を切り起こし、あるいは曲げ、もしくは潰しにより止め具に圧接するはめ合いにした孔を設けた板材であり、
前記建造物開口部の枠あるいは戸の枠材に設けた貫通孔に板材を当て、貫通孔および抜け止め機能の有る孔が互いに合致する状態に位置を合わせフランジ付き止め具の軸を挿入して取り付けするルーバー板材。
【請求項２】
建造物開口部の網戸の網に用いられる板材であり、その板材に、さんを残し切り起こした形状の建造物内部に異物が入らない方向に傾斜する斜面部をさんと交互に設けて有り、
前記斜面部より下部に通風可能な貫通孔もしくは、空間が有り、
さらに横長となる板材の上部と下部に取り付け面が有り、その取り付け面に所定間隔に複数の取り付け穴または、抜け止め機能の有る孔が有り、
前記抜け止め機能の有る孔として板材に止め具と同等か少し小さめの孔を開け、その周囲を切り起こし、あるいは曲げ、もしくは潰しにより止め具に圧接するはめ合いにした孔を設けた板材であり、
前記建造物開口部の網戸の網材をはさんで、網目と板材の取り付け穴または、抜け止め機能の有る孔とが互いに合致する状態に位置を合わせフランジ付き止め具の軸を挿入して取り付けするルーバー板材。
【請求項３】
建造物開口部の枠あるいは戸に用いられる板材であり、その板材より打ち出した形状の建造物内部に異物が入らない方向に傾斜する斜面部が有り、さらにスリットを設けてある板材であり、前記斜面部より下部に通風可能な貫通孔もしくは、空間が有り、さらに横長となる板材の上部と下部の取り付け面に所定間隔に複数の取り付け穴または、抜け止め機能の有る孔が有り、前記抜け止め機能の有る孔として板材に止め具と同等か少し小さめの孔を開け、その周囲を切り起こし、あるいは曲げ、もしくは潰しにより止め具に圧接するはめ合いにした孔を設けた板材であり、前記建造物開口部の枠あるいは戸の枠材に設けた貫通孔に板材を当て、貫通孔および抜け止め機能の有る孔が互いに合致する状態に位置を合わせフランジ付き止め具の軸を挿入して取り付けするルーバー板材。
【請求項４】
建造物開口部の網戸の網に用いられる板材であり、その板材より打ち出した形状の建造物内部に異物が入らない方向に傾斜する斜面部が有り、さらにスリットを設けてある板材であり、前記斜面部より下部に通風可能な貫通孔もしくは、空間が有り、さらに横長となる板材の長手方向の取り付け面に所定間隔に複数の取り付け穴または、抜け止め機能の有る孔が有り、前記抜け止め機能の有る孔として板材に止め具と同等か少し小さめの孔を開け、その周囲を切り起こし、あるいは曲げ、もしくは潰しにより止め具に圧接するはめ合いにした孔を設けた板材であり前記建造物開口部の網戸の網材をはさんで、網目と板材の取り付け穴または、抜け止め機能の有る孔とが互いに合致する状態に位置を合わせフランジ付き止め具の軸を挿入して取り付けするルーバー板材。
【請求項５】
板材を上下方向に複数並列して重ね合わせ、互いに合致する取り付け穴または、抜け止め機能の有る孔に止め具の軸を通すことにより規則正しく組み合わせて取り付けることができる板材、または板材を使用した集合体にできる前記請求項１、２、３又は４のいずれか１項に記載のルーバー板材。
【請求項６】
建造物開口部の枠あるいは戸に用いられ、枠あるいは戸の間に通気材をはさみ板材の抜け止め機能の有る孔と通気材を貫通する止め具の軸を通すことにより互いに密着固定できる前記請求項１、２、３、４、又は５のいずれか１項に記載のルーバー板材。
【請求項７】
建造物開口部の網戸の網面に用いられ、網材をはさみ板材の抜け止め機能の有る孔と網材を貫通する止め具の軸を通すことにより互いに密着固定できる前記請求項１、２、３、４、５又は６のいずれか１項に記載のルーバー板材。
【請求項８】
建造物開口部の枠あるいは戸に用いられ、遮蔽部となる斜面部を室内側に設けた前記請求項１、２、３、４、５、６、又は７のいずれか１項に記載のルーバー板材。
【手続補正２】
【補正対象書類名】明細書
【補正対象項目名】０００８
【補正方法】変更
【補正の内容】
【０００８】
ルーバー板材とは、建造物内部では空気の汚れによる入れ換えや、調湿、調温などをするために外部との換気ができる状態にて、防塵、日光の当たりすぎ防止、遮熱、防水、夜間の外部への遮光、プライバシーの保護、防風、（場合によっては猫などの動物から網などの通風素材を守る場合もある）ができる板材、または板材を使用した集合体とする。
板材の上部と下部に取り付け面が有り、建造物内部に異物が入らなくする遮蔽部を持ち、遮蔽部より下部に通風可能な貫通孔もしくは、空間が有り、かつ板材の長手方向の面に所定間隔に複数の取り付け穴または、抜け止め機能の有る孔を持つ板材、または板材を使用した集合体とし、取り付け面には振動やずれ防止のための柔らかい部材を使用しても良く、開口部が四角形ばかりでなく円形や異形の場合にも板材の長手を切断し対応できる。
【手続補正３】
【補正対象書類名】明細書
【補正対象項目名】０００９
【補正方法】変更
【補正の内容】
【０００９】
建造物開口部の枠あるいは戸に用いられ、板材の上部と下部に取り付け面が有り、建造物内部に異物が入らなくする遮蔽部を持ち、遮蔽部より下部に通風可能な貫通孔もしくは、空間が有り、かつ板材の長手方向の面に所定間隔に複数の取り付け穴または、抜け止め機能の有る孔を持つ板材で有り、その板材を上下方向に複数並列させ、取り付け穴または、抜け止め機能の有る孔に止め具の軸を通すことで建造物開口部に取り付けることができる板材、または板材を使用した集合体とし、建造物開口部の全てに設置する場合や、庇の有無、プライバシー保護の観点等により必要な部位にのみ設置する場合もある。
【手続補正４】
【補正対象書類名】明細書
【補正対象項目名】００１０
【補正方法】変更
【補正の内容】
【００１０】
建造物開口部の枠あるいは戸に用いられ、板材の上部と下部に取り付け面が有り、建造物内部に異物が入らなくする遮蔽部を持ち、遮蔽部より下部に通風可能な貫通孔もしくは、空間が有り、かつ板材の長手方向の面に所定間隔に複数の取り付け穴または、抜け止め機能の有る孔を持ち、さらに、板材の上部と下部に所定の間隔にて目印が設定された板材で有り、その板材を上下方向に複数並列させる際に、上下の板材とそれぞれ適応する目印を合わせることにより、板材を規則正しく整列させ組み合わせて建造物開口部に取り付けることができる板材、または板材を使用した集合体とし、目印は印刷や、凹凸でつける。また、外形の上下方向に突起と切り欠きなどにより凹凸を設けて勘合させる場合や厚み方向にも凹凸にて勘合させる場合も有り、勘合を圧入とし集合体を安定させる場合もある。また、建造物開口部の全てに設置する場合や、庇の有無や、プライバシー保護の観点等により必要な部位にのみ設置する場合もある。
【手続補正５】
【補正対象書類名】明細書
【補正対象項目名】００１１
【補正方法】変更
【補正の内容】
【００１１】
建造物開口部の枠あるいは戸に用いられ、板材の上部と下部に取り付け面が有り、建造物内部に異物が入らなくする遮蔽部を持ち、遮蔽部より下部に通風可能な貫通孔もしくは、空間が有り、かつ板材の長手方向の面に所定間隔に複数の取り付け穴または、抜け止め機能の有る孔を持つ板材で有り、その板材を上下方向に複数並列して重ね合わせ、互いに合致する取り付け穴または、抜け止め機能の有る孔に止め具の軸を通すことにより建造物開口部に規則正しく組み合わせて取り付けることができる板材、または板材を使用した集合体とし、重ね合わせる際には建造物開口部の全てに設置する場合や、庇の有無や、プライバシー保護の観点等により必要な部位にのみ設置する場合もある。また、取り付け穴または、抜け止め機能の有る孔は、板材の上下のどこでも良いし、重ねる順序も設定により異なる場合も可能である。
【手続補正６】
【補正対象書類名】明細書
【補正対象項目名】００１２
【補正方法】変更
【補正の内容】
【００１２】
建造物開口部の枠あるいは戸に用いられ、板材の上部と下部に取り付け面が有り、建造物内部に異物が入らなくする遮蔽部を持ち、遮蔽部より下部に通風可能な貫通孔もしくは、空間が有り、かつ板材の長手方向の面に所定間隔に複数の取り付け穴または、抜け止め機能の有る孔を持つ板材で有り、その板材を上下方向に複数並列して重ね合わせ、互いに合致する取り付け穴または、抜け止め機能の有る孔に止め具を通すことにより建造物開口部に規則正しく組み合わせられる構成であり、枠および戸との間の通気材をはさみ板材の抜け止め機能の有る孔と通気材を貫通する止め具の軸を通すことにより密着固定して互いに補強することができる板材、または板材を使用した集合体とし、通気素材としては、各種金属、樹脂、多層材などがあり、形態としては網、繊維、織物、多孔シート、多孔板などがある。蒸気を通すが水を通さないなど透過の程度も自由に設定できる。また、好みの色を使用することで内部の色設定をかえられる。
【手続補正７】
【補正対象書類名】明細書
【補正対象項目名】００１３
【補正方法】変更
【補正の内容】
【００１３】
建造物開口部の枠あるいは戸の通気材に用いられ、板材の上部と下部に取り付け面が有り、建造物内部に異物が入らなくする遮蔽部を持ち、遮蔽部より下部に通風可能な貫通孔もしくは、空間が有り、かつ板材の長手方向の面に所定間隔に複数の取り付け穴または、抜け止め機能の有る孔を持つ板材で有り、その板材を上下方向に複数並列して重ね合わせ、互いに合致する取り付け穴または、抜け止め機能の有る孔と通気材を貫通する止め具の軸を通すことにより建造物開口部に規則正しく組み合わせて取り付けることができる板材、または板材を使用した集合体とし、通気素材としては、各種金属、樹脂、多層材などがあり、形態としては網、繊維、織物、多孔シート、多孔板などがある。
【手続補正８】
【補正対象書類名】明細書
【補正対象項目名】００１４
【補正方法】変更
【補正の内容】
【００１４】
建造物開口部の枠あるいは戸の通気材に用いられ、建造物内部に異物が入らなくする遮蔽部を持ち、長手方向の面に所定間隔に複数の取り付け穴または、抜け止め機能の有る孔を持つ板材で有り、その板材を建造物開口部の枠あるいは戸に適応する所定の長さに切断して供給または、板材を巻き込んだリールにてフープ供給できる板材、または板材を使用した集合体とし、板材を所定の長さに切断して供給する場合には、板材の生産時あるいは、設置条件に合う所定の長さに工場などにて前もって切断しても良い。板材を巻き込んだリールにてフープ供給する場合には、既存設備の所定の長さに合わせて現場などで切断しても良い。
【手続補正９】
【補正対象書類名】明細書
【補正対象項目名】００１５
【補正方法】変更
【補正の内容】
【００１５】
建造物開口部の枠あるいは戸に用いられ、遮蔽部となる斜面部を室内側に設けた前記請求項１、２、３、４、５、６、又は７のいずれか１項に記載のルーバー板材とし、一例として建造物内部に異物が入らない方向に傾斜する斜面部を内側に設けると外部の方に張り出しが少なくできるので、通路などで使用する場合に斜面部と接触する危険を減らせる。
【手続補正１０】
【補正対象書類名】明細書
【補正対象項目名】００２４
【補正方法】変更
【補正の内容】
【００２４】
建造物開口部の枠あるいは戸に取り付ける際に板材の上部と下部に取り付け面が有り上下共に設けられた複数の取り付け穴または、抜け止め機能の有る孔を持にて固定できるため、姿勢を保持しやすく安定する。
【手続補正１１】
【補正対象書類名】明細書
【補正対象項目名】００４３
【補正方法】変更
【補正の内容】
【００４３】
板材に撥水処理または光触媒処理を施した上記請求項１、２、３、４、５、６、７又は８のいずれか１項に記載の板材、または板材を使用した集合体。